(57)【要約】本発明は物品用ハンガー（１０）を提供する。ハンガー（１０）は物品を保持する保持部（１８）及び物品の一部を覆うカバー（１１）を含んで、主として硬い素材により構成している。カバー（１１）は蝶番結合し、開放位置と作動位置間とを移動可能な少なくとも２つのカバー部材（１２、１４）を含んで構成している。作動位置ではカバー部材（１２、１４）間に位置し、使用に際して物品が保持部（１８）から外れ難くするように、保持部（１８）は一方のカバー部材（１２、１４）から内方に配置する。ハンガー（１０）を吊るすことが可能なように、ハンガー（１０）はカバー（１１）あるいは保持部（１８）に結合している支持手段（２０）をも含んで構成している。
2005521445.tif 000002
【特許請求の範囲】
【請求項１】
物品を保持するように改造した保持部、
物品の一部を覆うカバーであって、主として硬い素材で構成し、少なくとも２つの蝶番状に結合したカバー部材を有し、該カバー部材は開放位置及び作動位置間を可動であり、前記保持部はカバー部材の一方に結合するか一体的に形成され、作動中は前記保持部がカバー部材間に位置するようにカバーをカバー部材の内方へ配置し、使用中は物品の移動の可能性を減らすカバー、及び前記カバーあるいは前記保持部に結合したハンガーを吊るすようにした支持手段を含んで構成したことを特徴とするハンガー。
【請求項２】
主として硬い素材により構成したことを特徴とする請求項１記載のハンガー。
【請求項３】
主として樹脂素材により構成したことを特徴とする請求項１あるいは請求項２記載のハンガー。
【請求項４】
更にラベルを含んで構成したことを特徴とする請求項１ないし請求項３のいずれか１項記載のハンガー。
【請求項５】
前記ラベルは鋳包み形式のラベルであることを特徴とする請求項４記載のハンガー。
【請求項６】
前記ラベルは直接ハンガーに接着したラベルであることを特徴とする請求項４あるいは請求項５記載のハンガー。
【請求項７】
二つのカバー部材を含んで構成することを特徴とする請求項１ないし請求項６のいずれか１項記載のハンガー。
【請求項８】
前記カバー部材の一方が窓を含んで構成していることを特徴とする請求項１ないし請求項７のいずれか１項記載のハンガー。
【請求項９】
前記窓は、ハンガーが作動位置にある際に、一方のカバー部材の前記窓と他のカバー部材の間に物品が位置するようにしたことを特徴とする請求項８記載のハンガー。
【請求項１０】
前記保持部は一方のカバー部材の前記窓から内方へと配置したことを特徴とする請求項８あるいは請求項９記載のハンガー。
【請求項１１】
前記保持部は、一方のカバー部材から内方に且つ窓を横切る直線部を含んで構成することを特徴とする請求項８ないし請求項１０のいずれか１項記載のハンガー。
【請求項１２】
前記カバー部材は更に、操作位置においてカバー部材同士を固定する嵌め込み式固定機構を含んで構成したことを特徴とする請求項１ないし請求項１１のいずれか１項記載のハンガー。
【請求項１３】
前記カバーはラベルあるいはバーコードを張り付けるために、実質的に大部分が平らな表面を含んで構成したことを特徴とする請求項１ないし請求項１２のいずれか１項記載のハンガー。
【発明の詳細な説明】
【技術分野】
【０００１】
本発明は物品用ハンガーに関する。
【背景技術】
【０００２】
衣服の付属品のような物品を店頭において販売する際、付属品をハンガーの棒あるいは鉤に吊るしたりする。既に種々のハンガーが知られており、棒あるいは鉤に吊るす部分及び衣服の付属品を保持する部分を含んで構成していることが多い。例えば、付属品を保持する部分は一端に衣服の付属品が保持部から思いがけなく外れるのを防ぐように突起を有する伸張部材を含んで構成してもよい。しかし、突起は衣服の付属品を伸張部材から滑るのを防ぐので、どのようにしても付属品をハンガーに取り付けるのに時間がかかることになる。
【発明の開示】
【発明が解決しようとする課題】
【０００３】
従来のハンガーは全て、部品をハンガーに取り付けられるように比較的複雑な形状かあるいはハンガーから思いがけずに外れ易い形状となっている。
【課題を解決するための手段】
【０００４】
本発明は下記の部材を含んで構成するハンガーを提供する。
・物品を保持するように改造した保持部
・物品の一部を覆うカバーであって主として硬い素材で構成し、少なくとも２つの蝶番状に結合したカバー部材を有し、該カバー部材は開放位置及び作動位置間を可動であり、前記保持部はカバー部材の一方に結合するか一体的に形成され、作動中は前記保持部がカバー部材間に位置するようにカバー部材から内方へ配置し、使用中は物品が保持部から外れる可能性を減らすカバー、及び
・前記カバーあるいは前記保持部に結合したハンガーを吊るすようにした支持手段。
【０００５】
カバー部材は開放位置へと可動なので、単純な直線状部材の形状でもよい保持部に衣服の付属品を比較的取り付け易い。作動位置においては、カバー部材は物品が外れる可能性を減らす。
【０００６】
物品を少なくとも２つのカバー部材間あるいは一方のカバー部材と保持部の間に挟むことにより、外れる可能性を減らしてもよいし減らさなくてもよい。
【０００７】
本発明は下記の工程を含んで構成する物品のハンガーの製造方法を提供する。
・ハンガーを成形する樹脂素材用の金型を準備する。
・前記金型内あるいは近辺にラベルを置き、ハンガー成形時に樹脂素材がラベルと接触し、接着するようにする。
・ハンガーの形成及びハンガーにラベルを鋳包むために金型内に樹脂素材を注入する。
【０００８】
上記の製造工程はハンガーの成形とラベル付けが一つの工程に組み込まれ、コストを下げている。
【０００９】
本発明は更に上記方法によって生産したハンガーを提供する。
【００１０】
〔発明の最良の特徴〕
ハンガーは主として樹脂素材から構成することが好ましく、出来ればラベルを含んで構成することが好ましい。ラベルはハンガーと一体化することが好ましく、鋳包んだラベルが最も好ましい。
【００１１】
ハンガーは蝶番結合した２つのカバー部材を含んで構成することが好ましい。一方のカバー部材は窓を含んで構成することが好ましい。ハンガーが作動位置にある際に、物品が一方のカバー部材の窓と他のカバー部材の間に位置するように、窓を構成することが好ましい。
【００１２】
保持部材は一方のカバー部材の窓から内方へ配置することが好ましい。保持部材は一方のカバー部材から内方に且つ窓を横切る直線部を含んで構成することが最も好ましい。更に、カバー部材は操作位置においてカバー部材同士を固定する嵌め込み式固定機構（ｓｎａｐ−ｆｉｔ  ｌｏｃｋ  ａｒｒａｎｇｅｍｅｎｔ）を含んで構成してもよい。
【００１３】
カバーはラベルあるいはバーコードを張り付けるために、大部分が実質的に平らな表面を含んで構成することが好ましい。
【００１４】
支持手段は鉤を含んで構成し、カバーに結合していることが好ましい。
【発明を実施するための最良の形態】
【００１５】
図１〜３を用いて、本発明の好ましい実施の形態を説明する。図１には開放状態のカバー１１を含んで構成するハンガー１０を示す。カバーは蝶番結合した第１のカバー部材１２及び第２のカバー部材１４を含んで構成している。第２のカバー部材１４はリム１５を含んで構成している。第１のカバー部材１２はエッジ１６を含んで構成し、そのエッジは第１のカバー部材１２と第２のカバー部材１４が操作位置にあって、物品の一部を覆う際にリム１５を受けるような形状となっている。リム１５とエッジ１６は嵌め込み式固定機構を形成する。
【００１６】
第１のカバー部材は物品を保持する保持部１８を含んで構成している。ハンガー１０が操作位置にある時に、カバー部材１２及び１４の間にあるように、保持部１８を第１のカバー部材１２から内方へ配置している。
【００１７】
本実施例では、保持部１８は直線状の部材を含んで構成し第１のカバー部材１２の窓１７上に位置している。第１のカバー部材１２に鉤２０の形状の支持部材が結合している。
【００１８】
図２はハンガー１０の別の透視図であり、カバー１１が開放状態にあり、保持部１８に保持されている衣服の付属品としての物品、この例ではネクタイ３０を図示している。
【００１９】
図３はハンガー１０の更に別の透視図であり、ハンガーが作動状態にあることを示している。この場合、カバー１１は閉じており、カバー部材１２と１４は嵌合している。ネクタイ３０はカバー部材１２及び１４の間に保持部１８により保持されている。
【００２０】
本実施例ではハンガー１０は再生可能な樹脂素材で構成し第２のカバー部材１４はラベル２２を含んで構成している。この場合、ハンガーは溶融樹脂素材を金型に射出することにより製造し、ラベルは金型の一方の側面に取り付ける。樹脂素材が硬化すると、ラベルは樹脂素材に固着しハンガーの一部を構成する。
【００２１】
特定の例を引用して述べたが、本発明は当業者によって多様な形態を実現することができる。例えば、保持部はカバーに連結しなくてもよいが、鉤に連結する別の部品としてもよい。
【図面の簡単な説明】
【００２２】
【図１】本発明の一実施例による物品用ハンガーの斜視図
【図２】物品用ハンガーの開放状態を示す斜視図
【図３】物品用ハンガーの作動状態を示す斜視図
【符号の説明】
【００２３】
１０  ハンガー
１１  カバー
１２、１４  カバー部材
１５  リム
１６  エッジ
１７  窓
１８  保持部
２０  鉤
２２  ラベル
３０  ネクタイ
【図１】
2005521445.tif 000003
【図２】
2005521445.tif 000004
【図３】
2005521445.tif 000005
【手続補正書】
【提出日】平成17年2月25日(2005.2.25)
【手続補正１】
【補正対象書類名】特許請求の範囲
【補正対象項目名】全文
【補正方法】変更
【補正の内容】
【特許請求の範囲】
【請求項１】
物品用ハンガー（１０）であって、開放位置及び閉鎖位置間を旋回可能に相対的に動く第１及び第２のカバー部材（１２，１４）を含んで構成し、前記閉鎖位置では支持部（１８）はカバー部材の一方（１２）に結合し且つ両カバー部材の内部に位置し、前記保持部は物品（３０）を取り込んでおり、閉鎖位置のカバー部材は前記物品を保持部材とで挟んで保持部から外れ難くしており、レールあるいは棒などに前記ハンガーを吊るすことができるように鉤手段（２０）を一方のカバー部材（１２）に取り付けたことを特徴とするハンガー。
【請求項２】
前記保持部材は実質的には剛体でＬ字状の形状であることを特徴とする請求項１記載のハンガー。
【請求項３】
前記保持部材は一方のカバー部材（１２）とカバー部材の旋回可能な結合部（１３）の近傍において結合していることを特徴とする請求項２記載のハンガー。
【請求項４】
前記一方のカバー部材（１２）は窓（１７）を含んでいることを特徴とする請求項３記載のハンガー。
【請求項５】
前記窓は前記支持部（１８）に対面していることを特徴とする請求項４記載のハンガー。
【請求項６】
前記鉤手段（２０）は前記支持部が結合しているのと同じカバー部材（１４）に結合していることを特徴とする請求項３記載のハンガー。
【請求項７】
販売用の物品を展示する方法であって、
（ｉ）少なくとも物品の一部を一体的に鋳形した蝶番手段（１３）により蝶番結合している一対のカバー部材（１２、１４）内に取り囲み、且つ
（ｉｉ）少なくとも一方のカバー部材（１２、１４）の外側に前記物品に関したラベル（２２）を表示し、
前記ラベルは前記カバー部材に鋳包まれていることを特徴とする物品の展示方法。
【請求項８】
更に、
（ｉｉｉ）前記カバー部材を周辺にリム（１５、１６）を有するように形成し、且つ
（ｉｖ）対応するリム同士が嵌合して閉鎖している前記カバー部材を保持する取り外し可能な嵌め込み式固定機構を形成したことを特徴とする請求項７記載の物品の展示方法。
【請求項９】
一体的に鋳形した蝶番手段（１３）により蝶番結合している開放および閉鎖位置へと切り替え可能な第１のカバー部材（１２）及び第２のカバー部材（１４）を含んで構成し、各々のカバー部材は内側及び外側を有し少なくとも一方のカバー部材の外側に鋳包まれたラベル（２２）を形成したことを特徴とする成形樹脂保持部材。
【請求項１０】
前記両カバー部材の外側に鋳包まれたラベルを形成したことを特徴とする請求項９記載の成形樹脂保持部材。
【請求項１１】
前記一方のカバー部材は他のカバー部材のリム（１６）に嵌合可能なリム（１５）を有していることを特徴とする請求項１０記載の成形樹脂保持部材。
【請求項１２】
前記カバー部材は嵌め込み式固定機構を含んで構成したことを特徴とする請求項１１記載の成形樹脂保持部材。
【手続補正２】
【補正対象書類名】明細書
【補正対象項目名】全文
【補正方法】変更
【補正の内容】
【発明の詳細な説明】
【技術分野】
【０００１】
本発明は物品用ハンガーに関する。
【背景技術】
【０００２】
衣服の付属品のような物品を店頭において販売する際、付属品をハンガーの棒あるいは鉤に吊るしたりする。既に種々のハンガーが知られており、棒あるいは鉤に吊るす部分及び衣服の付属品を保持する部分を含んで構成していることが多い。例えば、付属品を保持する部分は一端に衣服の付属品が保持部から思いがけなく外れるのを防ぐように突起を有する伸張部材を含んで構成してもよい。しかし、突起は衣服の付属品を伸張部材から滑るのを防ぐので、どのようにしても付属品をハンガーに取り付けるのに時間がかかることになる。
【発明の開示】
【発明が解決しようとする課題】
【０００３】
従来のハンガーは全て、部品をハンガーに取り付けられるように比較的複雑な形状かあるいはハンガーから思いがけずに外れ易い形状となっている。
【課題を解決するための手段】
【０００４】
本発明は下記の部材を含んで構成するハンガーを提供する。
・物品を保持するように改造した保持部
・物品の一部を覆うカバーであって主として硬い素材で構成し、少なくとも２つの蝶番状に結合したカバー部材を有し、該カバー部材は開放位置及び閉鎖位置間を可動であり、前記保持部はカバー部材の一方に結合するか一体的に形成され、閉鎖中は前記保持部がカバー部材間に位置するようにカバー部材から内方へ配置し、使用中は物品が保持部から外れる可能性を減らすカバー、及び
・前記カバーあるいは前記保持部に結合したハンガーを吊るすようにした支持手段。
【０００５】
カバー部材は開放位置へと可動なので、単純な直線状部材の形状でもよい保持部に衣服の付属品を比較的取り付け易い。閉鎖位置においては、カバー部材は物品が外れる可能性を減らす。
【０００６】
物品を少なくとも２つのカバー部材間あるいは一方のカバー部材と保持部の間に挟むことにより、外れる可能性を減らしてもよいし減らさなくてもよい。
【０００７】
本発明は下記の工程を含んで構成する物品のハンガーの製造方法を提供する。
・ハンガーを成形する樹脂素材用の金型を準備する。
・前記金型内あるいは近辺にラベルを置き、ハンガー成形時に樹脂素材がラベルと接触し、接着するようにする。
・ハンガーの形成及びハンガーにラベルを鋳包むために金型内に樹脂素材を注入する。
【０００８】
上記の製造工程はハンガーの成形とラベル付けが一つの工程に組み込まれ、コストを下げている。
【０００９】
本発明は更に上記方法によって生産したハンガーを提供する。
【００１０】
〔発明の最良の特徴〕
ハンガーは主として樹脂素材から構成することが好ましく、出来ればラベルを含んで構成することが好ましい。ラベルはハンガーと一体化することが好ましく、鋳包んだラベルが最も好ましい。
【００１１】
ハンガーは蝶番結合した２つのカバー部材を含んで構成することが好ましい。一方のカバー部材は窓を含んで構成することが好ましい。ハンガーが閉鎖位置にある際に、物品が一方のカバー部材の窓と他のカバー部材の間に位置するように、窓を構成することが好ましい。
【００１２】
保持部材は一方のカバー部材の窓から内方へ配置することが好ましい。保持部材は一方のカバー部材から内方に且つ窓を横切る直線部を含んで構成することが最も好ましい。更に、カバー部材は操作位置においてカバー部材同士を固定する嵌め込み式固定機構（ｓｎａｐ−ｆｉｔ  ｌｏｃｋ  ａｒｒａｎｇｅｍｅｎｔ）を含んで構成してもよい。
【００１３】
カバーはラベルあるいはバーコードを張り付けるために、大部分が実質的に平らな表面を含んで構成することが好ましい。
【００１４】
支持手段は鉤を含んで構成し、カバーに結合していることが好ましい。
【発明を実施するための最良の形態】
【００１５】
図１〜３を用いて、本発明の好ましい実施の形態を説明する。図１には開放状態のカバー１１を含んで構成するハンガー１０を示す。カバーは結合部（あるいは蝶番手段）１３を介して蝶番結合した第１のカバー部材１２及び第２のカバー部材１４を含んで構成している。第２のカバー部材１４はリム１５を含んで構成している。第１のカバー部材１２はリム１６を含んで構成し、そのリムは第１のカバー部材１２と第２のカバー部材１４が閉鎖位置にあって、物品の一部を覆う際にリム１５を受けるような形状となっている。リム１５とリム１６は嵌め込み式固定機構を形成する。
【００１６】
第１のカバー部材は物品を保持する保持部１８を含んで構成している。ハンガー１０が閉鎖位置にある時に、カバー部材１２及び１４の間にあるように、保持部１８を第１のカバー部材１２から内方へ配置している。
【００１７】
本実施例では、保持部１８は直線状の部材を含んで構成し第１のカバー部材１２の窓１７上に位置している。保持部１８は他の形状、例えばＬ字状でもよい。第１のカバー部材１２に鉤２０の形状の支持部材が結合している。
【００１８】
図２はハンガー１０の別の透視図であり、カバー１１が開放状態にあり、保持部１８に保持されている衣服の付属品としての物品、この例ではネクタイ３０を図示している。
【００１９】
図３はハンガー１０の更に別の透視図であり、ハンガーが閉鎖状態にあることを示している。この場合、カバー１１は閉じており、カバー部材１２と１４は嵌合している。ネクタイ３０はカバー部材１２及び１４の間に保持部１８により保持されている。
【００２０】
本実施例ではハンガー１０は再生可能な樹脂素材で構成し第２のカバー部材１４はラベル２２を含んで構成している。この場合、ハンガーは溶融樹脂素材を金型に射出することにより製造し、ラベルは金型の一方の側面に取り付ける。樹脂素材が硬化すると、ラベルは樹脂素材に固着しハンガーの一部を構成する。なお、ラベルは両カバー部材１２、１４の外側に形成してもよい。
【００２１】
特定の例を引用して述べたが、本発明は当業者によって多様な形態を実現することができる。例えば、保持部はカバーに連結しなくてもよいが、鉤に連結する別の部品としてもよい。
【図面の簡単な説明】
【００２２】
【図１】本発明の一実施例による物品用ハンガーの斜視図
【図２】物品用ハンガーの開放状態を示す斜視図
【図３】物品用ハンガーの閉鎖状態を示す斜視図
【符号の説明】
【００２３】
１０  ハンガー
１１  カバー
１２、１４  カバー部材
１３  結合部（蝶番手段）
１５  リム
１６  リム
１７  窓
１８  保持部
２０  鉤
２２  ラベル
３０  ネクタイ
【手続補正３】
【補正対象書類名】図面
【補正対象項目名】全図
【補正方法】変更
【補正の内容】
【図１】
2005521445.tif 000006
【図２】
2005521445.tif 000007
【図３】
2005521445.tif 000008
【国際調査報告】
2005521445.tif 000009
2005521445.tif 000010
2005521445.tif 000011
2005521445.tif 000012